【手続補正書】
【提出日】平成24年1月17日(2012.1.17)
【手続補正１】
【補正対象書類名】明細書
【補正対象項目名】００２４
【補正方法】変更
【補正の内容】
【００２４】
【図１】本発明の固体撮像ユニットの一実施形態であるＣＣＤユニットを備えた撮影装置１の外観を示す図である。
【図２】ＣＣＤユニットを保持するＸＹステージの構成を示す図である。
【図３】図２のフレキシブル基板の拡大図である。
【図４】ＣＣＤユニットを保持するＸＹステージの構成を示す図である。
【図５】ＣＣＤユニットを保持するＸＹステージの構成を示す図である。
【図６】ＣＣＤユニットを保持するＸＹステージの構成を示す図である。
【図７】ＣＣＤユニットを保持するＸＹステージの構成を示す図である。
【図８】ＣＣＤユニットを保持するＸＹステージの構成を示す図である。
【図９】ＣＣＤユニットを保持するＸＹステージの構成を示す図である。
【図１０】ＣＣＤユニットを保持するＸＹステージの構成を示す図である。
【図１１】ＣＣＤユニットを保持するＸＹステージの構成を示す図である。
【図１２】ＣＣＤユニットを保持するＸＹステージの構成を示す図である。
【図１３】ＣＣＤユニットを保持するＸＹステージの構成を示す図である。
【図１４】マグネットＭＧ１，ＭＧ２の配列と、接合体ＹＭ１，ＹＭ２とホール素子ｈ１，ｈ２と対向ヨークＹ１２，Ｙ２２と追加ヨークＹ１３，Ｙ２３の位置関係を示す図である。
【図１５】調整時のホール素子の出力を説明する図である。
【図１６】本発明の固体撮像素子固定方法の一実施形態であるＣＣＤ固定方法を説明する模式図である。
【図１７】本発明の固体撮像素子固定方法の一実施形態であるＣＣＤ固定方法を説明する模式図である。
【図１８】本発明の固体撮像素子固定方法の一実施形態であるＣＣＤ固定方法を説明する模式図である。
【図１９】従来のＣＣＤ固定方法を説明する模式図である。
【図２０】従来のＣＣＤ固定方法を説明する模式図である。
【手続補正２】
【補正対象書類名】明細書
【補正対象項目名】００３９
【補正方法】変更
【補正の内容】
【００３９】
図２の左側には、基体１１１の外壁部の外側にＸステージ１１３ＡとＹステージ１１３Ｂそれぞれのコイル基板１１３１Ａ，１１３１Ｂに対応するように、それぞれ、上記Ｘステージ駆動機構、上記Ｙステージ駆動機構それぞれを構成するマグネットＭＧ１，ＭＧ２と３種類のヨークＹ１１〜Ｙ１３，Ｙ２１〜Ｙ２３が示されている。なお、Ｘステージ１１３ＡとＹステージ１１３Ｂとのそれぞれに設けられる第１のコイル基板１１３１Ａと第２のコイル基板１１３１Ｂとに対応してそれぞれヨークＹ１１〜Ｙ１３，Ｙ２１〜Ｙ２３が３種類づつ設けられているので、以降においては、Ｘステージ駆動機構側の符号Ｙ１１のヨークを第１のヨークと記載し、Ｙステージ駆動機構側の符号Ｙ２１のヨークを第２のヨークと記載し、Ｘステージ駆動機構側の符号Ｙ１２のヨークを第３のヨーク（以降においては第１のマグネットＭＧ１に対向して配設されるので対向ヨークということもある）と記載し、Ｙステージ駆動機構側の符号Ｙ２２のヨークを第４のヨーク（以降においては第２のマグネットＭＧ２に対向して配設されるので対向ヨークということもある）と記載することにし、Ｘステージ駆動機構側の符号Ｙ１３のヨークを第１のサブヨークと記載し、Ｙステージ駆動機構側の符号Ｙ２３のヨークを第２のサブヨークと記載することにする。また、第１のヨークＹ１１は第１のマグネットＭＧ１に接着固定され、第２のヨークＹ２１は第２のマグネットＭＧ２に接着固定されるので、それらを含めて第１の接合体ＹＭ１、第２の接合体ＹＭ２と記載することがある。
【手続補正３】
【補正対象書類名】明細書
【補正対象項目名】００４６
【補正方法】変更
【補正の内容】
【００４６】
まず、Ｘ方向に延びる２本のガイド軸Ｇ１，Ｇ３および１本の支持軸Ｇ２がどのようにして基体１１１側に配設されて基体１１１に組み込まれていくかを図２を参照して簡単に説明する。
【手続補正４】
【補正対象書類名】明細書
【補正対象項目名】００５６
【補正方法】変更
【補正の内容】
【００５６】
ここで、基体１１１に、ＣＣＤユニット１２０やＣＣＤホルダー１１２や各ステージ１１３Ａ，１１３Ｂ等が組み込まれ、ＸＹステージ１１０が組み立てられ、さらにそのＸＹステージ１１０がレンズ鏡胴１００に組み込まれた後の状態を、図５を参照して説明する。
【手続補正５】
【補正対象書類名】明細書
【補正対象項目名】００６８
【補正方法】変更
【補正の内容】
【００６８】
第１のヨークＹ１１は、第１のマグネットＭＧ１よりもＸ方向に幅広の部材であって、Ｘステージ駆動機構には第１のヨークＹ１１の、第１のマグネットＭＧ１から見たときの裏面の、その第１のマグネットＭＧ１と対向する位置に固定された、その第１のヨークＹ１１よりもＸ方向に幅狭の第１のサブヨークＹ１３が備えられており、第２のヨークＹ２１は、第２のマグネットＭＧ２よりもＹ方向に幅広の部材であって、Ｙステージ駆動機構には、第２のヨークＹ２１の、第２のマグネットＭＧ２から見たときの裏面の、その第２のマグネットＭＧ２と対向する位置に固定された、その第２のヨークＹ２１よりもＹ方向に幅狭の第２のサブヨークＹ２３が備えられている。
【手続補正６】
【補正対象書類名】明細書
【補正対象項目名】００８７
【補正方法】変更
【補正の内容】
【００８７】
この図１０にはフレキシブル基板ＦＰＣの第２の撓み部ＦＰＣ４が基体１１１とレンズ鏡胴１００とで形成される僅かなスペースに要領よく組み込まれていることが示されている。
【手続補正７】
【補正対象書類名】明細書
【補正対象項目名】００９５
【補正方法】変更
【補正の内容】
【００９５】
また、図１４（ａ）に示す様に、Ｘステージ駆動機構やＹステージ駆動機構には、第１のマグネットＭＧ１や第２のマグネットＭＧ２よりもＸ方向やＹ方向に幅広の部材であって、第１の接合体ＹＭ１や第２の接合体ＹＭ２が、第１のヨークＹ１１や第２のヨークＹ２１の、第１のマグネットＭＧ１や第２のマグネットＭＧ２から見たときの裏面の、その第１のマグネットＭＧ１やその第２のマグネットＭＧ２と対向する位置に固定された、その第１のヨークＹ１１、その第２のヨークＹ２１よりもＸ方向やＹ方向に幅狭の第１のサブヨークＹ１３や第２のサブヨークＹ２３が備えられている。これらのサブヨークＹ１３，Ｙ２３はマグネットＭＧ１，ＭＧ２の極の変化する範囲（図１４（ｃ）参照）をカバーすることができるところに設けられている。ここでは、第１のヨークと第２のヨークを厚くするとヨークが大型化してしまうので、薄くして、必要なところだけに第１のサブヨークＹ１３、第２のサブヨークＹ２３を設けることで、狭いスペースへの組み込みを可能にするとともに、それらのサブヨークでマグネットＭＧ１，ＭＧ２とヨークＹ１１〜Ｙ１３，Ｙ２１〜Ｙ２３とで形成される磁気回路中の磁束の漏れを低減させ、より効率的にコイルに対して磁力を加えることができるようにしている。
【手続補正８】
【補正対象書類名】明細書
【補正対象項目名】０１２６
【補正方法】変更
【補正の内容】
【０１２６】
この軸受部Ｂ４は、ＣＣＤホルダー１１２を第１のガイド軸Ｇ１と第２のガイド軸Ｇ３に沿ってＸ方向にスライドさせているときの、双方のガイド軸Ｇ１，Ｇ３からＣＣＤホルダー１１２に加えられるモーメントがちょうど打ち消される位置に設けられているので、ＣＣＤホルダー１１２がＸ方向に円滑に動く。
【手続補正９】
【補正対象書類名】図面
【補正対象項目名】図１４
【補正方法】変更
【補正の内容】
【図１４】
2010278667.tif 000001